(57)【要約】【課題】効果的に誘導できる店舗のクーポンを発行したクーポン発行Ｗｅｂページを携帯情報端末に表示させるようにする。【解決手段】携帯情報端末によるクーポン発行ＷｅｂページのＵＲＬへのアクセス要求を検知したときに、店舗ＩＤを取得し（１４０）、業種間相関係数テーブル、業種別距離別行使率テーブル、及び業種別時間帯別行使率テーブルを読み込み（１４６）、店舗ＩＤの店舗について、店舗の業種に基づいて、誘導先店舗の各々に対するスコアを算出する（１４８）。スコアに基づく上位５個の誘導先店舗のクーポンを表示したクーポン発行Ｗｅｂページを生成し、携帯情報端末へ送信する（１４９）。【選択図】図８
2014139758.tif 000002
【特許請求の範囲】
【請求項１】
各店舗において利用者に対して提示され、かつ、前記店舗に対して定められた、前記店舗の利用者を前記店舗の後に誘導する誘導先店舗のクーポンを表すクーポン発行ＷｅｂページのＵＲＬを示すクーポン取得用コードパターンを、前記利用者の携帯情報端末によって読み込み、読み込んだ前記クーポン取得用コードパターンをＵＲＬへ変換して、前記変換したＵＲＬへアクセスし、前記クーポン発行Ｗｅｂページを表示し、
前記利用者が前記誘導先店舗で前記クーポンを利用するときに、前記誘導先店舗において利用者に対して提示され、かつ、前記誘導先店舗に対して定められた、前記クーポンを利用することを表すクーポン利用ＷｅｂページのＵＲＬを示す利用時コードパターンを、前記利用者の携帯情報端末によって読み込み、読み込んだ前記利用時コードパターンをＵＲＬへ変換して、前記変換したＵＲＬへアクセスし、前記クーポン利用Ｗｅｂページを表示するクーポン表示システムの制御サーバであって、
前記クーポン取得用コードパターンを提示する各店舗を誘導元店舗とし、前記誘導元店舗と、前記誘導元店舗で提示される前記クーポン取得用コードパターンのＵＲＬのクーポン発行Ｗｅｂページが表すクーポンで誘導される誘導先店舗とを対応付けて記憶した誘導先店舗記憶手段と、
前記携帯情報端末による前記クーポン発行ＷｅｂページのＵＲＬ、又は前記クーポン利用ＷｅｂページのＵＲＬへのアクセスを検知したときに、前記携帯情報端末のユーザのユーザ特定情報を取得すると共に、前記携帯情報端末によって読み込んだ前記クーポン取得用コードパターン又は前記利用時コードパターンを提示した店舗の店舗識別情報を取得する特定情報取得手段と、
前記店舗識別情報の各々に対応して、前記店舗識別情報の店舗の業種を記憶した店舗情報記憶手段と、
前記携帯情報端末による前記クーポン発行ＷｅｂページのＵＲＬへのアクセスを検知したときに、前記特定情報取得手段によって取得した前記ユーザ特定情報及び前記店舗識別情報と前記クーポン発行ＷｅｂページのＵＲＬへのアクセス日時とを、クーポン発行ログとしてクーポン発行履歴記憶手段に記憶させるクーポン発行履歴記憶制御手段と、
前記携帯情報端末による前記クーポン利用ＷｅｂページのＵＲＬへのアクセスを検知したときに、前記特定情報取得手段によって取得した前記ユーザ特定情報及び前記店舗識別情報と前記クーポン利用ＷｅｂページのＵＲＬへアクセスした利用日時とを、クーポン利用ログとしてクーポン利用履歴記憶手段に記憶させるクーポン利用履歴記憶制御手段と、
前記クーポン発行履歴記憶手段に記憶されたクーポン発行ログ、前記クーポン利用履歴記憶手段に記憶されたクーポン利用ログ、及び前記店舗情報記憶手段に記憶された店舗の業種に基づいて、発行側の業種と利用側の業種との業種間におけるクーポン発行数に対するクーポン利用数の比率に応じた相関係数を、前記業種間の各々について算出する業種間相関係数算出手段と、
前記クーポン取得用コードパターンを提示する店舗について、前記店舗の業種と、前記店舗が誘導元店舗として前記誘導先店舗記憶手段に記憶されている誘導先店舗の各々の業種と、前記業種間相関係数算出手段によって算出された各業種間の相関係数とに基づいて、前記誘導先店舗の各々に対するスコアを算出するスコア算出手段と、
前記クーポン取得用コードパターンを提示する店舗について、前記スコア算出手段によって算出された前記スコアの高い順に前記誘導先店舗のクーポンを表示したクーポン発行Ｗｅｂページ、又は前記スコア算出手段によって算出された前記スコアに基づく上位ｎ個（ｎは定数）の前記誘導先店舗のクーポンを表示したクーポン発行Ｗｅｂページを生成し、前記携帯情報端末から前記クーポン発行ＷｅｂページのＵＲＬへのアクセス要求があったときに、前記特定情報取得手段によって取得した前記店舗識別情報の前記店舗について生成した前記クーポン発行Ｗｅｂページを前記携帯情報端末へ送信するページ生成手段と、
を含む制御サーバ。
【請求項２】
前記業種間相関係数算出手段によって算出された前記業種間の各々の相関係数を記憶する相関係数記憶手段を更に含み、
前記業種間相関係数算出手段は、所定の更新タイミングにおいて、前記業種間の各々の相関係数を算出して、前記相関係数記憶手段に記憶された前記業種間の各々の相関係数を更新し、
前記スコア算出手段は、前記携帯情報端末から前記クーポン発行ＷｅｂページのＵＲＬへのアクセス要求があったときに、前記特定情報取得手段によって取得した前記店舗識別情報の前記店舗について、前記スコアを算出し、
前記ページ生成手段は、前記特定情報取得手段によって取得した前記店舗識別情報の前記店舗について、前記スコア算出手段によって算出された前記スコアに基づいて、前記クーポン発行Ｗｅｂページを生成し、前記生成した前記クーポン発行Ｗｅｂページを前記携帯情報端末へ送信する請求項１記載の制御サーバ。
【請求項３】
前記業種間相関係数算出手段は、前記ユーザ特定情報の各々について、前記クーポン発行履歴記憶手段に記憶された前記ユーザ特定情報を含む前記クーポン発行ログ、前記クーポン利用履歴記憶手段に記憶された前記ユーザ特定情報を含む前記クーポン利用ログ、及び前記店舗情報記憶手段に記憶された店舗の業種に基づいて、前記相関係数を、各業種間で算出し、
前記スコア算出手段は、前記携帯情報端末から前記クーポン発行ＷｅｂページのＵＲＬへのアクセス要求があったときに、前記特定情報取得手段によって取得した前記ユーザ特定情報及び前記店舗識別情報について、前記店舗識別情報の店舗の業種と、前記記店舗識別情報の店舗が誘導元店舗として前記誘導先店舗記憶手段に記憶されている誘導先店舗の各々の業種と、前記業種間相関係数算出手段によって前記ユーザ特定情報について算出された各業種間の相関係数とに基づいて、前記誘導先店舗の各々に対する前記スコアを算出し、
前記ページ生成手段は、前記特定情報取得手段によって取得した前記ユーザ特定情報及び前記店舗識別情報を用いて、前記スコア算出手段によって前記ユーザ特定情報について算出された前記スコアに基づいて、前記店舗識別情報の店舗について、前記クーポン発行Ｗｅｂページを生成し、前記生成した前記クーポン発行Ｗｅｂページを前記携帯情報端末へ送信する請求項１又は２記載の制御サーバ。
【請求項４】
前記店舗情報記憶手段は、前記店舗識別情報の各々に対応して、前記店舗識別情報の店舗の業種及び住所を記憶し、
前記業種間相関係数算出手段は、前記相関係数を、前記業種間の各々について算出すると共に、前記クーポン発行履歴記憶手段に記憶されたクーポン発行ログ、前記クーポン利用履歴記憶手段に記憶されたクーポン利用ログ、及び前記店舗情報記憶手段に記憶された店舗の業種及び住所に基づいて、前記業種間の各々について、距離範囲毎に、前記業種間であって、前記発行側の業種の店舗と前記利用側の業種の店舗との距離が前記距離範囲に含まれる場合の、クーポン発行数に対するクーポン利用数の比率である距離別行使率を算出し、
前記スコア算出手段は、前記クーポン取得用コードパターンを提示する店舗について、前記店舗の業種と、前記店舗が誘導元店舗として前記誘導先店舗記憶手段に記憶されている誘導先店舗の各々の業種と、前記店舗と前記誘導先店舗の各々との距離と、前記業種間相関係数算出手段によって算出された各業種間の相関係数及び前記距離別行使率とに基づいて、前記誘導先店舗の各々に対するスコアを算出する請求項１〜請求項３の何れか１項記載の制御サーバ。
【請求項５】
前記業種間相関係数算出手段は、前記相関係数を、前記業種間の各々について算出すると共に、前記クーポン発行履歴記憶手段に記憶されたクーポン発行ログ、前記クーポン利用履歴記憶手段に記憶されたクーポン利用ログ、及び前記店舗情報記憶手段に記憶された店舗の業種に基づいて、前記業種間の各々について、クーポン発行時間帯毎に、前記業種間であって、前記クーポン発行日時が前記クーポン発行時間帯に含まれる場合の、クーポン発行数に対するクーポン利用数の比率である時間帯別行使率を算出し、
前記スコア算出手段は、前記携帯情報端末から前記クーポン発行ＷｅｂページのＵＲＬへのアクセス要求があったときに、前記特定情報取得手段によって取得した前記店舗識別情報について、前記店舗識別情報の店舗の業種と、前記店舗識別情報の店舗が誘導元店舗として前記誘導先店舗記憶手段に記憶されている誘導先店舗の各々の業種と、前記業種間相関係数算出手段によって算出された各業種間の相関係数及び前記時間帯別相関係数とに基づいて、前記アクセス要求があった時刻を含む前記クーポン発行時間帯及び前記誘導先店舗の各々に対するスコアを算出する請求項１〜請求項４の何れか１項記載の制御サーバ。
【請求項６】
前記業種間相関係数算出手段は、前記業種間の各々について、前記クーポン発行履歴記憶手段に記憶されたクーポン発行ログのうち、前記業種間の前記発行側の業種に該当する店舗の店舗識別情報を含むクーポン発行ログであって、かつ、前記利用側の業種に該当する店舗のクーポンを表すクーポン発行Ｗｅｂページに対応するクーポン発行ログである該当クーポン発行ログの数と、前記該当クーポン発行ログのうち、前記業種間の前記利用側の業種に該当する店舗の店舗識別情報を含む、前記該当クーポン発行ログに対応するクーポン発行Ｗｅｂページにより誘導された誘導先店舗でのクーポンの利用に対するクーポン利用ログの数とに基づいて、前記業種間におけるクーポン発行数に対するクーポン利用数の比率に応じた相関係数を算出する請求項１〜請求項５の何れか１項記載の制御サーバ。
【請求項７】
前記誘導先店舗記憶手段は、前記クーポン取得用コードパターンを提示する店舗側に設置された端末により入力された、前記店舗である誘導元店舗と、前記誘導元店舗で提示される前記クーポン取得用コードパターンのＵＲＬのクーポン発行Ｗｅｂページが表す複数のクーポンで誘導される複数の誘導先店舗とを対応付けて記憶した請求項１〜請求項６の何れか１項記載の制御サーバ。
【請求項８】
前記クーポン取得用コードパターン及び前記利用時コードパターンを、ＱＲコード（登録商標）とした請求項１〜請求項７の何れか１項記載の制御サーバ。
【請求項９】
前記ユーザ特定情報を、ユーザＩＤ又はＣｏｏｋｉｅ情報とした請求項１〜請求項８の何れか１項記載の制御サーバ。
【請求項１０】
請求項１〜請求項９の何れか１項に記載の制御サーバと、
撮像手段によって撮像された、前記クーポン取得用コードパターン又は前記利用時コードパターンを、ＵＲＬへ変換する変換手段、
前記ユーザ特定情報として前記ユーザＩＤを含む、前記変換手段によって変換したＵＲＬへのアクセス要求を送信するアクセス要求送信手段、及び
前記アクセス要求のＵＲＬの前記クーポン発行Ｗｅｂページまたは前記クーポン利用Ｗｅｂページを、表示手段に表示させる表示制御手段
を含む携帯情報端末と、
を含むクーポン表示システム。
【請求項１１】
各店舗において利用者に対して提示され、かつ、前記店舗に対して定められた、前記店舗の利用者を前記店舗の後に誘導する誘導先店舗のクーポンを表すクーポン発行ＷｅｂページのＵＲＬを示すクーポン取得用コードパターンを、前記利用者の携帯情報端末によって読み込み、読み込んだ前記クーポン取得用コードパターンをＵＲＬへ変換して、前記変換したＵＲＬへアクセスし、前記クーポン発行Ｗｅｂページを表示し、
前記利用者が前記誘導先店舗で前記クーポンを利用するときに、前記誘導先店舗において利用者に対して提示され、かつ、前記誘導先店舗に対して定められた、前記クーポンを利用することを表すクーポン利用ＷｅｂページのＵＲＬを示す利用時コードパターンを、前記利用者の携帯情報端末によって読み込み、読み込んだ前記利用時コードパターンをＵＲＬへ変換して、前記変換したＵＲＬへアクセスし、前記クーポン利用Ｗｅｂページを表示するクーポン表示システムのプログラムであって、
前記クーポン取得用コードパターンを提示する各店舗を誘導元店舗とし、前記誘導元店舗と、前記誘導元店舗で提示される前記クーポン取得用コードパターンのＵＲＬのクーポン発行Ｗｅｂページが表すクーポンで誘導される誘導先店舗とを対応付けて記憶した誘導先店舗記憶手段と、店舗の店舗識別情報の各々に対応して、前記店舗識別情報の店舗の業種を記憶した店舗情報記憶手段とを含むコンピュータを、
前記携帯情報端末による前記クーポン発行ＷｅｂページのＵＲＬ、又は前記クーポン利用ＷｅｂページのＵＲＬへのアクセスを検知したときに、前記携帯情報端末のユーザのユーザ特定情報を取得すると共に、前記携帯情報端末によって読み込んだ前記クーポン取得用コードパターン又は前記利用時コードパターンを提示した店舗の店舗識別情報を取得する特定情報取得手段、
前記携帯情報端末による前記クーポン発行ＷｅｂページのＵＲＬへのアクセスを検知したときに、前記特定情報取得手段によって取得した前記ユーザ特定情報及び前記店舗識別情報と前記クーポン発行ＷｅｂページのＵＲＬへのアクセス日時とを、クーポン発行ログとしてクーポン発行履歴記憶手段に記憶させるクーポン発行履歴記憶制御手段、
前記携帯情報端末による前記クーポン利用ＷｅｂページのＵＲＬへのアクセスを検知したときに、前記特定情報取得手段によって取得した前記ユーザ特定情報及び前記店舗識別情報と前記クーポン利用ＷｅｂページのＵＲＬへアクセスした利用日時とを、クーポン利用ログとしてクーポン利用履歴記憶手段に記憶させるクーポン利用履歴記憶制御手段、
前記クーポン発行履歴記憶手段に記憶されたクーポン発行ログ、前記クーポン利用履歴記憶手段に記憶されたクーポン利用ログ、及び前記店舗情報記憶手段に記憶された店舗の業種に基づいて、発行側の業種と利用側の業種との業種間におけるクーポン発行数に対するクーポン利用数の比率に応じた相関係数を、前記業種間の各々について算出する業種間相関係数算出手段、
前記クーポン取得用コードパターンを提示する店舗について、前記店舗の業種と、前記店舗が誘導元店舗として前記誘導先店舗記憶手段に記憶されている誘導先店舗の各々の業種と、前記業種間相関係数算出手段によって算出された各業種間の相関係数とに基づいて、前記誘導先店舗の各々に対するスコアを算出するスコア算出手段、及び
前記クーポン取得用コードパターンを提示する店舗について、前記スコア算出手段によって算出された前記スコアの高い順に前記誘導先店舗のクーポンを表示したクーポン発行Ｗｅｂページ、又は前記スコア算出手段によって算出された前記スコアに基づく上位ｎ個（ｎは定数）の前記誘導先店舗のクーポンを表示したクーポン発行Ｗｅｂページを生成し、前記携帯情報端末から前記クーポン発行ＷｅｂページのＵＲＬへのアクセス要求があったときに、前記特定情報取得手段によって取得した前記店舗識別情報の前記店舗について生成した前記クーポン発行Ｗｅｂページを前記携帯情報端末へ送信するページ生成手段
として機能させるためのプログラム。
【発明の詳細な説明】
【技術分野】
【０００１】
本発明は、制御サーバ、クーポン表示システム、及びプログラムに係り、特に、携帯情報端末にクーポン発行Ｗｅｂページまたはクーポン利用Ｗｅｂページを表示させる制御サーバ、クーポン表示システム、及びプログラムに関する。
【背景技術】
【０００２】
従来より、クーポンなどの広告は、需要が見込めるユーザが存在する位置に設置されたり、需要が見込めるユーザに対して配信または配布されている。
【０００３】
また、利用実績情報から利用する可能性が高い電子クーポンを選択して、効率的な販売促進を行なうことができるクーポン管理システムが知られている（特許文献１）。
【先行技術文献】
【特許文献】
【０００４】
【特許文献１】特開２００９−７５８３９号公報
【発明の概要】
【発明が解決しようとする課題】
【０００５】
本発明は、効果的に誘導できる店舗のクーポンを発行したクーポン発行Ｗｅｂページを携帯情報端末に表示させることができる制御サーバ、クーポン表示システム、及びプログラムを提供することを目的とする。
【課題を解決するための手段】
【０００６】
上記の目的を達成するために本発明に係る制御サーバは、各店舗において利用者に対して提示され、かつ、前記店舗に対して定められた、前記店舗の利用者を前記店舗の後に誘導する誘導先店舗のクーポンを表すクーポン発行ＷｅｂページのＵＲＬを示すクーポン取得用コードパターンを、前記利用者の携帯情報端末によって読み込み、読み込んだ前記クーポン取得用コードパターンをＵＲＬへ変換して、前記変換したＵＲＬへアクセスし、前記クーポン発行Ｗｅｂページを表示し、前記利用者が前記誘導先店舗で前記クーポンを利用するときに、前記誘導先店舗において利用者に対して提示され、かつ、前記誘導先店舗に対して定められた、前記クーポンを利用することを表すクーポン利用ＷｅｂページのＵＲＬを示す利用時コードパターンを、前記利用者の携帯情報端末によって読み込み、読み込んだ前記利用時コードパターンをＵＲＬへ変換して、前記変換したＵＲＬへアクセスし、前記クーポン利用Ｗｅｂページを表示するクーポン表示システムの制御サーバであって、前記クーポン取得用コードパターンを提示する各店舗を誘導元店舗とし、前記誘導元店舗と、前記誘導元店舗で提示される前記クーポン取得用コードパターンのＵＲＬのクーポン発行Ｗｅｂページが表すクーポンで誘導される誘導先店舗とを対応付けて記憶した誘導先店舗記憶手段と、前記携帯情報端末による前記クーポン発行ＷｅｂページのＵＲＬ、又は前記クーポン利用ＷｅｂページのＵＲＬへのアクセスを検知したときに、前記携帯情報端末のユーザのユーザ特定情報を取得すると共に、前記携帯情報端末によって読み込んだ前記クーポン取得用コードパターン又は前記利用時コードパターンを提示した店舗の店舗識別情報を取得する特定情報取得手段と、前記店舗識別情報の各々に対応して、前記店舗識別情報の店舗の業種を記憶した店舗情報記憶手段と、前記携帯情報端末による前記クーポン発行ＷｅｂページのＵＲＬへのアクセスを検知したときに、前記特定情報取得手段によって取得した前記ユーザ特定情報及び前記店舗識別情報と前記クーポン発行ＷｅｂページのＵＲＬへのアクセス日時とを、クーポン発行ログとしてクーポン発行履歴記憶手段に記憶させるクーポン発行履歴記憶制御手段と、前記携帯情報端末による前記クーポン利用ＷｅｂページのＵＲＬへのアクセスを検知したときに、前記特定情報取得手段によって取得した前記ユーザ特定情報及び前記店舗識別情報と前記クーポン利用ＷｅｂページのＵＲＬへアクセスした利用日時とを、クーポン利用ログとしてクーポン利用履歴記憶手段に記憶させるクーポン利用履歴記憶制御手段と、前記クーポン発行履歴記憶手段に記憶されたクーポン発行ログ、前記クーポン利用履歴記憶手段に記憶されたクーポン利用ログ、及び前記店舗情報記憶手段に記憶された店舗の業種に基づいて、発行側の業種と利用側の業種との業種間におけるクーポン発行数に対するクーポン利用数の比率に応じた相関係数を、前記業種間の各々について算出する業種間相関係数算出手段と、前記クーポン取得用コードパターンを提示する店舗について、前記店舗の業種と、前記店舗が誘導元店舗として前記誘導先店舗記憶手段に記憶されている誘導先店舗の各々の業種と、前記業種間相関係数算出手段によって算出された各業種間の相関係数とに基づいて、前記誘導先店舗の各々に対するスコアを算出するスコア算出手段と、前記クーポン取得用コードパターンを提示する店舗について、前記スコア算出手段によって算出された前記スコアの高い順に前記誘導先店舗のクーポンを表示したクーポン発行Ｗｅｂページ、又は前記スコア算出手段によって算出された前記スコアに基づく上位ｎ個（ｎは定数）の前記誘導先店舗のクーポンを表示したクーポン発行Ｗｅｂページを生成し、前記携帯情報端末から前記クーポン発行ＷｅｂページのＵＲＬへのアクセス要求があったときに、前記特定情報取得手段によって取得した前記店舗識別情報の前記店舗について生成した前記クーポン発行Ｗｅｂページを前記携帯情報端末へ送信するページ生成手段と、を含んで構成されている。
【０００７】
本発明に係るプログラムは、各店舗において利用者に対して提示され、かつ、前記店舗に対して定められた、前記店舗の利用者を前記店舗の後に誘導する誘導先店舗のクーポンを表すクーポン発行ＷｅｂページのＵＲＬを示すクーポン取得用コードパターンを、前記利用者の携帯情報端末によって読み込み、読み込んだ前記クーポン取得用コードパターンをＵＲＬへ変換して、前記変換したＵＲＬへアクセスし、前記クーポン発行Ｗｅｂページを表示し、前記利用者が前記誘導先店舗で前記クーポンを利用するときに、前記誘導先店舗において利用者に対して提示され、かつ、前記誘導先店舗に対して定められた、前記クーポンを利用することを表すクーポン利用ＷｅｂページのＵＲＬを示す利用時コードパターンを、前記利用者の携帯情報端末によって読み込み、読み込んだ前記利用時コードパターンをＵＲＬへ変換して、前記変換したＵＲＬへアクセスし、前記クーポン利用Ｗｅｂページを表示するクーポン表示システムのプログラムであって、前記クーポン取得用コードパターンを提示する各店舗を誘導元店舗とし、前記誘導元店舗と、前記誘導元店舗で提示される前記クーポン取得用コードパターンのＵＲＬのクーポン発行Ｗｅｂページが表すクーポンで誘導される誘導先店舗とを対応付けて記憶した誘導先店舗記憶手段と、店舗の店舗識別情報の各々に対応して、前記店舗識別情報の店舗の業種を記憶した店舗情報記憶手段とを含むコンピュータを、前記携帯情報端末による前記クーポン発行ＷｅｂページのＵＲＬ、又は前記クーポン利用ＷｅｂページのＵＲＬへのアクセスを検知したときに、前記携帯情報端末のユーザのユーザ特定情報を取得すると共に、前記携帯情報端末によって読み込んだ前記クーポン取得用コードパターン又は前記利用時コードパターンを提示した店舗の店舗識別情報を取得する特定情報取得手段、前記携帯情報端末による前記クーポン発行ＷｅｂページのＵＲＬへのアクセスを検知したときに、前記特定情報取得手段によって取得した前記ユーザ特定情報及び前記店舗識別情報と前記クーポン発行ＷｅｂページのＵＲＬへのアクセス日時とを、クーポン発行ログとしてクーポン発行履歴記憶手段に記憶させるクーポン発行履歴記憶制御手段、前記携帯情報端末による前記クーポン利用ＷｅｂページのＵＲＬへのアクセスを検知したときに、前記特定情報取得手段によって取得した前記ユーザ特定情報及び前記店舗識別情報と前記クーポン利用ＷｅｂページのＵＲＬへアクセスした利用日時とを、クーポン利用ログとしてクーポン利用履歴記憶手段に記憶させるクーポン利用履歴記憶制御手段、前記クーポン発行履歴記憶手段に記憶されたクーポン発行ログ、前記クーポン利用履歴記憶手段に記憶されたクーポン利用ログ、及び前記店舗情報記憶手段に記憶された店舗の業種に基づいて、発行側の業種と利用側の業種との業種間におけるクーポン発行数に対するクーポン利用数の比率に応じた相関係数を、前記業種間の各々について算出する業種間相関係数算出手段、前記クーポン取得用コードパターンを提示する店舗について、前記店舗の業種と、前記店舗が誘導元店舗として前記誘導先店舗記憶手段に記憶されている誘導先店舗の各々の業種と、前記業種間相関係数算出手段によって算出された各業種間の相関係数とに基づいて、前記誘導先店舗の各々に対するスコアを算出するスコア算出手段、及び前記クーポン取得用コードパターンを提示する店舗について、前記スコア算出手段によって算出された前記スコアの高い順に前記誘導先店舗のクーポンを表示したクーポン発行Ｗｅｂページ、又は前記スコア算出手段によって算出された前記スコアに基づく上位ｎ個（ｎは定数）の前記誘導先店舗のクーポンを表示したクーポン発行Ｗｅｂページを生成し、前記携帯情報端末から前記クーポン発行ＷｅｂページのＵＲＬへのアクセス要求があったときに、前記特定情報取得手段によって取得した前記店舗識別情報の前記店舗について生成した前記クーポン発行Ｗｅｂページを前記携帯情報端末へ送信するページ生成手段として機能させるためのプログラムである。
【０００８】
本発明によれば、特定情報取得手段によって、前記携帯情報端末による前記クーポン発行ＷｅｂページのＵＲＬ、又は前記クーポン利用ＷｅｂページのＵＲＬへのアクセスを検知したときに、前記携帯情報端末のユーザのユーザ特定情報を取得すると共に、前記携帯情報端末によって読み込んだ前記クーポン取得用コードパターン又は前記利用時コードパターンを提示した店舗の店舗識別情報を取得する。
【０００９】
そして、クーポン発行履歴記憶制御手段によって、前記携帯情報端末による前記クーポン発行ＷｅｂページのＵＲＬへのアクセスを検知したときに、前記特定情報取得手段によって取得した前記ユーザ特定情報及び前記店舗識別情報と前記クーポン発行ＷｅｂページのＵＲＬへのアクセス日時とを、クーポン発行ログとしてクーポン発行履歴記憶手段に記憶させる。また、クーポン利用履歴記憶制御手段によって、前記携帯情報端末による前記クーポン利用ＷｅｂページのＵＲＬへのアクセスを検知したときに、前記特定情報取得手段によって取得した前記ユーザ特定情報及び前記店舗識別情報と前記クーポン利用ＷｅｂページのＵＲＬへアクセスした利用日時とを、クーポン利用ログとしてクーポン利用履歴記憶手段に記憶させる。
【００１０】
そして、業種間相関係数算出手段によって、前記クーポン発行履歴記憶手段に記憶されたクーポン発行ログ、前記クーポン利用履歴記憶手段に記憶されたクーポン利用ログ、及び前記店舗情報記憶手段に記憶された店舗の業種に基づいて、発行側の業種と利用側の業種との業種間におけるクーポン発行数に対するクーポン利用数の比率に応じた相関係数を、前記業種間の各々について算出する。スコア算出手段によって、前記クーポン取得用コードパターンを提示する店舗について、前記店舗の業種と、前記店舗が誘導元店舗として前記誘導先店舗記憶手段に記憶されている誘導先店舗の各々の業種と、前記業種間相関係数算出手段によって算出された各業種間の相関係数とに基づいて、前記誘導先店舗の各々に対するスコアを算出する。
【００１１】
そして、ページ生成手段によって、前記クーポン取得用コードパターンを提示する店舗について、前記スコア算出手段によって算出された前記スコアの高い順に前記誘導先店舗のクーポンを表示したクーポン発行Ｗｅｂページ、又は前記スコア算出手段によって算出された前記スコアに基づく上位ｎ個（ｎは定数）の前記誘導先店舗のクーポンを表示したクーポン発行Ｗｅｂページを生成し、前記携帯情報端末から前記クーポン発行ＷｅｂページのＵＲＬへのアクセス要求があったときに、前記特定情報取得手段によって取得した前記店舗識別情報の前記店舗について生成した前記クーポン発行Ｗｅｂページを前記携帯情報端末へ送信する。
【００１２】
このように、クーポン発行ログ及びクーポン利用ログに基づいて算出される、発行側の業種と利用側の業種との業種間におけるクーポン発行数に対するクーポン利用数の比率に応じた相関係数に基づいて、誘導先店舗の各々に対するスコアを算出し、スコアの高い順に誘導先店舗のクーポンを表示したクーポン発行Ｗｅｂページ、又はスコアに基づく上位ｎ個の誘導先店舗のクーポンを表示したクーポン発行Ｗｅｂページを生成することにより、効果的に誘導できる店舗のクーポンを発行したクーポン発行Ｗｅｂページを携帯情報端末に表示させることができる。
【００１３】
本発明に係るクーポン表示システムは、上記の制御サーバと、撮像手段によって撮像された、前記クーポン取得用コードパターン又は前記利用時コードパターンを、ＵＲＬへ変換する変換手段、前記ユーザ特定情報として前記ユーザＩＤを含む、前記変換手段によって変換したＵＲＬへのアクセス要求を送信するアクセス要求送信手段、及び前記アクセス要求のＵＲＬの前記クーポン発行Ｗｅｂページまたは前記クーポン利用Ｗｅｂページを、表示手段に表示させる表示制御手段を含む携帯情報端末とを含んで構成されている。
【００１４】
本発明のプログラムは、記憶媒体に格納して提供することができる。
【発明の効果】
【００１５】
以上説明したように、本発明の制御サーバ、クーポン表示システム、及びプログラムによれば、クーポン発行ログ及びクーポン利用ログに基づいて算出される、発行側の業種と利用側の業種との業種間におけるクーポン発行数に対するクーポン利用数の比率に応じた相関係数に基づいて、誘導先店舗の各々に対するスコアを算出し、スコアの高い順に誘導先店舗のクーポンを表示したクーポン発行Ｗｅｂページ、又はスコアに基づく上位ｎ個の誘導先店舗のクーポンを表示したクーポン発行Ｗｅｂページを生成することにより、効果的に誘導できる店舗のクーポンを発行したクーポン発行Ｗｅｂページを携帯情報端末に表示させることができる、という効果が得られる。
【図面の簡単な説明】
【００１６】
【図１】本発明の第１の実施の形態に係るクーポン表示システムの構成を示す概略図である。
【図２】本発明の第１の実施の形態に係るクーポン表示システムの携帯情報端末の構成を示すブロック図である。
【図３】本発明の第１の実施の形態に係るクーポン表示システムの制御サーバの構成を示すブロック図である。
【図４】（Ａ）業種間相関係数テーブルの一例を示す図、（Ｂ）業種別距離別行使率テーブルの一例を示す図、及び（Ｃ）業種別時間帯別行使率テーブルの一例を示す図である。
【図５】本発明の第１の実施の形態に係る携帯情報端末のクーポン取得利用処理ルーチンの内容を示すフローチャートである。
【図６】クーポン取得からクーポン利用までの処理の概要を説明するための図である。
【図７】本発明の第１の実施の形態に係る携帯情報端末のコードパターン読取処理ルーチンの内容を示すフローチャートである。
【図８】本発明の第１の実施の形態に係る制御サーバのページ生成処理ルーチンの内容を示すフローチャートである。
【図９】本発明の第１の実施の形態に係る制御サーバのクーポン発行利用ログ登録処理ルーチンの内容を示すフローチャートである。
【図１０】本発明の第１の実施の形態に係る制御サーバのテーブル更新処理ルーチンの内容を示すフローチャートである。
【図１１】本発明の第２の実施の形態に係る制御サーバのテーブル更新処理ルーチンの内容を示すフローチャートである。
【図１２】本発明の第２の実施の形態に係る制御サーバのページ生成処理ルーチンの内容を示すフローチャートである。
【発明を実施するための形態】
【００１７】
以下、図面を参照して本発明の実施の形態を詳細に説明する。なお、本実施の形態では、クーポンを表示するＷｅｂページを携帯情報端末に表示させるクーポン表示システムに、本発明を適用した場合を例に説明する。
【００１８】
図１に示すように、第１の実施の形態に係るクーポン表示システム１０は、利用者が操作する携帯情報端末１２と、携帯情報端末１２によってアクセスされるＷｅｂページを記憶している制御サーバ１６と、店舗２０内に設置された店舗側端末２２とを備えている。
【００１９】
携帯情報端末１２、制御サーバ１６、及び店舗側端末２２は、インターネットなどのネットワーク２４を介して接続されている。
【００２０】
店舗２０内では、クーポン取得用のコードパターン２０Ａと、クーポン利用用のコードパターン２０Ｂとが利用者に対して提示されている。コードパターン２０Ａ、２０Ｂは、例えば、店舗２０内に設置された三角ＰＯＰなどに表示されている。コードパターン２０Ａ、２０Ｂは、例えば、ＱＲコード（登録商標）であり、当該店舗２０に対して与えられたＷｅｂページのＵＲＬを変換したものである。また、コードパターン２０Ａ、２０Ｂが表すＵＲＬは、制御サーバ１６上のＵＲＬとなっている。
【００２１】
携帯情報端末１２は、携帯電話、ＰＤＡ（Personal Digital Assistants）端末、あるいはノート型・ブック型コンピュータ端末等からなる。なお、携帯情報端末１２について、スマートフォンを一例として以下、説明する。携帯情報端末１２は、図２に示すように、通信部４０と、制御部４２と、撮像部４４と、表示部４６と、を含んで構成されている。
【００２２】
通信部４０は、ネットワーク２４を介した通信を行う。撮像部４４は、携帯情報端末１２の周辺の所定領域を撮像し、撮像画像を生成する。表示部４６は、例えば、タッチパネルディスプレイからなり、通信部４０によりアクセスしたＷｅｂページを表示する。また、表示部４６により、利用者からの指示情報等を入力する。例えば、表示部４６に対する利用者の操作に従って、ＩＤ，パスワード等を入力する。
【００２３】
制御部４２は、ＣＰＵ、ＲＯＭ、ＲＡＭ、及びＨＤＤを備えたコンピュータで構成されており、ＨＤＤには、制御サーバ１６が提供するサイトからダウンロードし、かつ、インストールした、後述するクーポン取得利用処理ルーチンを含むアプリケーションソフト、及び後述するコードパターン読取処理ルーチンを実現するためのプログラムが記憶されている。制御部４２は、機能的には次に示すように構成されている。制御部４２は、コード変換部５０及び通信制御部５２を備えている。なお、通信制御部５２は、アクセス要求送信手段及び表示制御手段の一例である。
【００２４】
コード変換部５０は、撮像部４４により撮像されたコードパターン２０Ａ又は２０Ｂを表す画像から、コードパターン２０Ａ又は２０Ｂが表す文字列（ＵＲＬ）に変換し、表示部４６に表示させる。
【００２５】
通信制御部５２は、表示部４６に対する利用者の操作に従って、通信部４０により所定のＷｅｂページへのアクセス要求を送信するように制御すると共に、コード変換部５０により変換されたＵＲＬのＷｅｂページへのアクセス要求を送信するように通信部４０を制御する。
【００２６】
店舗側端末２２は、クーポンを発行する各店舗側に設置されたコンピュータであり、制御サーバ１６が提供するサイトの管理ページにアクセスし、オペレータの操作により、当該店舗の情報を登録する。
【００２７】
また、店舗側端末２２は、制御サーバ１６が提供するサイトの管理ページにアクセスし、オペレータの操作により、当該店舗のクーポン情報を登録すると共に、当該店舗で発行するクーポンの店舗の情報であって、当該店舗の次に誘導する誘導先店舗の情報を登録する。誘導先店舗の情報を登録する場合には、例えば、管理ページに表示された、各誘導先店舗から発行オファー情報（店舗基本情報、報酬情報などを含む）を参照して、管理ページにおいて、当該店舗の次に誘導する誘導先店舗の情報を登録する。
【００２８】
また、店舗側端末２２は、制御サーバ１６が提供するサイトの管理ページにおいて、当該店舗に対して定められたクーポン取得用のコードパターン２０Ａ及びクーポン利用用のコードパターン２０Ｂの画像データを取得し、印刷することにより、当該店舗で提示するコードパターン２０Ａ、２０Ｂを取得する。
【００２９】
制御サーバ１６は、ＣＰＵ、ＲＯＭ、ＲＡＭ、及びＨＤＤを備えたコンピュータで構成されており、ＨＤＤには、後述するクーポン発行利用ログ登録処理ルーチン、ページ生成処理ルーチン、及びテーブル更新処理ルーチンに対するプログラムが記憶されている。
【００３０】
制御サーバ１６は、機能的には次に示すように構成されている。図３に示すように、制御サーバ１６は、通信部５６及び制御部６０を備えている。制御部６０は、店舗側情報受付部６２、端末側情報受付部６４、店舗情報登録部６６、店舗情報データベース６８、クーポン情報登録部７０、クーポンデータベース７２、発行情報登録部７４、利用ページ生成部７５、発行ページ生成部７６、ＵＲＬリスト記憶部７７、ユーザ情報登録部７８、ユーザ情報データベース８０、認証部８２、発行利用ログ登録部８４、発行利用ログデータベース８６、報酬算出部８８、デポジットデータベース９０、支払データベース９１、テーブル更新部９６、及びテーブル情報記憶部９８を備えている。なお、店舗情報データベース６８は、店舗情報記憶手段の一例であり、クーポンデータベース７２は、誘導先店舗記憶手段の一例であり、発行利用ログ登録部８４は、特定情報取得手段、クーポン発行履歴記憶制御手段、及びクーポン利用履歴記憶制御手段の一例である。テーブル更新部９６は、業種間相関係数算出手段の一例であり、テーブル情報記憶部９８は、相関係数記憶手段の一例であり、発行ページ生成部７６は、スコア算出手段及びページ生成手段の一例である。
【００３１】
店舗側情報受付部６２は、通信部５６により受信した、店舗側端末２２から送信された情報を受け付ける。端末側情報受付部６４は、通信部５６により受信した、携帯情報端末１２から送信された情報又は要求を受け付ける。
【００３２】
店舗情報登録部６６は、制御サーバ１６が提供するサイトの管理ページを介して店舗側端末２２から送信された店舗基本情報（店舗名、業種、住所など）に対して、店舗IDを付与して、店舗情報データベース６８に登録する。なお、店舗の業種については、予め定められた複数種類の業種のうち、何れに該当するかが登録される。また、店舗情報登録部６６は、店舗に対して付与した店舗ＩＤを含むＵＲＬを、当該店舗に対して定めるクーポン発行ＷｅｂページのＵＲＬ及びクーポン利用ＷｅｂページのＵＲＬとして各々決定し、決定したＵＲＬを変換したコードパターン２０Ａ、２０Ｂの画像データと共に、店舗情報データベース６８に登録する。また、店舗情報登録部６６は、クーポン発行ＷｅｂページのＵＲＬ及びクーポン利用ＷｅｂページのＵＲＬを、店舗ＩＤと対応付けてＵＲＬリスト記憶部７７に格納する。店舗情報登録部６６は、管理ページを介して店舗側端末２２から送信された報酬情報（当該店舗のクーポン利用時の成約単価（当該店舗のクーポンを発行した店舗へ支払う報酬額））を、当該店舗の店舗IDに対応付けて、店舗情報データベース６８に登録する。
【００３３】
クーポン情報登録部７０は、制御サーバ１６が提供するサイトの管理ページを介して店舗側端末２２から送信された、当該店舗のクーポン情報、店舗関連画像、クーポン関連画像、及びクーポン種別（例えば、４８時間限定、先着指定など）を含むように生成されたクーポン発行ページデータを、当該店舗の店舗ＩＤと対応付けて、クーポンデータベース７２に登録する。
【００３４】
発行情報登録部７４は、店舗側端末２２から送信されたクーポン発行情報（当該店舗で発行するクーポンが利用される他の誘導先店舗の情報）に基づいて、当該他の誘導先店舗に対応する店舗ＩＤを、誘導元店舗である当該店舗の店舗IDに対応付けて、クーポンデータベース７２に登録する。
【００３５】
利用ページ生成部７５は、携帯情報端末１２から送信された、ユーザID又はＣｏｏｋｉｅ情報を含むアクセス要求を検知し、要求されたアクセス先のＵＲＬと、ＵＲＬリスト記憶部７７のクーポン利用ＵＲＬリストとに基づいて、クーポン利用ＷｅｂページのＵＲＬであると判定すると、要求されたアクセス先のＵＲＬから、誘導先店舗の店舗ＩＤを取得し、当該誘導先店舗のクーポンを利用することを表したクーポン利用Ｗｅｂページを生成し、生成したクーポン利用Ｗｅｂページを、上記の携帯情報端末１２へ送信する。なお、誘導先店舗である各店舗に対して各々予め定められたクーポン利用ＷｅｂページのＵＲＬからなるクーポン利用ＵＲＬリストが、ＵＲＬリスト記憶部７７に格納されている。クーポン利用ＵＲＬリストでは、誘導先店舗の店舗ＩＤとＵＲＬとが対応付けて格納されている。また、誘導元店舗である各店舗に対して各々予め定められたクーポン発行ＷｅｂページのＵＲＬからなるクーポン発行ＵＲＬリストが、ＵＲＬリスト記憶部７７に格納されている。クーポン発行ＵＲＬリストでは、誘導元店舗の店舗ＩＤとＵＲＬとが対応付けて格納されている。
【００３６】
発行ページ生成部７６は、携帯情報端末１２から送信されたアクセス要求を検知し、要求されたアクセス先のＵＲＬと、ＵＲＬリスト記憶部７７のクーポン発行ＵＲＬリストとに基づいて、クーポン発行ＷｅｂページのＵＲＬであると判定すると、要求されたアクセス先のＵＲＬから、誘導元店舗の店舗ＩＤを取得し、当該誘導元店舗のクーポン発行情報（当該店舗で発行するクーポンが利用される他の誘導先店舗の情報）に基づいて、当該他の誘導先店舗に対応するクーポン発行ページデータをクーポンデータベース７２から取得し、以下に説明するように、取得したクーポン発行ページデータを誘導先店舗毎に表したクーポン発行Ｗｅｂページを生成し、生成したクーポン発行Ｗｅｂページを、上記の携帯情報端末１２へ送信する。
【００３７】
発行ページ生成部７６は、テーブル情報記憶部９８に記憶された図４（Ａ）〜（Ｃ）に示すような、業種間相関係数テーブル、業種別距離別行使率テーブル、及び業種別時間帯別行使率テーブルに基づいて、アクセス要求があった時刻（現時刻）を含むクーポン発行時間帯について、クーポン発行情報に含まれる、当該店舗で発行するクーポン情報の誘導先店舗の各々に対するスコアを算出し、当該クーポン発行時間帯についてのスコアに基づいて、一定個（例えば、５個）の誘導先店舗を抽出し、スコアの降順に、誘導先店舗のクーポン発行ページデータを並べて表示したクーポン発行Ｗｅｂページを生成する。
【００３８】
ここで、スコアの算出方法について説明する。
【００３９】
まず、店舗情報データベース６８から、当該店舗である誘導元店舗の業種と、誘導先店舗の業種とを取得し、業種間相関係数テーブルから、誘導元店舗の業種と誘導先店舗の業種との組み合わせに対応する相関係数を取得する。また、テーブル情報記憶部９８から、誘導元店舗の業種と誘導先店舗の業種との組み合わせに対応する業種別距離別行使率テーブルを取得する。また、店舗情報データベース６８から、当該店舗である誘導元店舗の住所と、誘導先店舗の住所とを取得し、取得した住所から、店舗間の距離を算出する。取得した業種別距離別行使率テーブルから、算出した距離に対応する行使率を取得する。
【００４０】
また、テーブル情報記憶部９８から、誘導元店舗の業種と誘導先店舗の業種との組み合わせに対応する業種別時間帯別行使率テーブルを取得し、携帯情報端末１２からのアクセス要求があった時刻（現時刻）が該当する時間帯に対する行使率を取得する。
【００４１】
そして、当該店舗と、誘導先店舗との組み合わせに対するスコアとして、上記で取得した相関係数、距離に対する行使率、及び時間帯に対する行使率を乗算した値を算出する。
【００４２】
ユーザ情報登録部７８は、携帯情報端末１２に制御サーバ１６からのアプリケーションソフトがインストールされるときに当該携帯情報端末１２から送信されたユーザ情報（ユーザＩＤ、パスワード、メールアドレス、生年月日、性別、地域など）を、ユーザ情報データベース８０に登録する。
【００４３】
認証部８２は、携帯情報端末１２から送信された、ユーザＩＤ及びパスワードと、ユーザ情報データベース８０のユーザ情報とを照合して、認証を行い、当該携帯情報端末１２へ、認証結果を通信部５６により送信させる。
【００４４】
発行利用ログ登録部８４は、携帯情報端末１２から送信された、ユーザID又はＣｏｏｋｉｅ情報を含むアクセス要求を検知し、要求されたアクセス先のＵＲＬと、ＵＲＬリスト記憶部７７のクーポン利用ＵＲＬリスト又はクーポン発行ＵＲＬリストとに基づいて、クーポン発行ＷｅｂページのＵＲＬであるかクーポン利用ＷｅｂページのＵＲＬであるかを判定すると共に、誘導元店舗又は誘導先店舗の店舗ＩＤを取得し、ユーザID又はＣｏｏｋｉｅ情報と誘導元店舗の店舗ＩＤと発行日時とを含むクーポン発行ログ、あるいはユーザID又はＣｏｏｋｉｅ情報と誘導先店舗の店舗ＩＤと利用日時とを含むクーポン利用ログを、発行利用ログデータベース８６に格納する。なお、本実施の形態では、クーポン発行ＷｅｂページのＵＲＬ内に含まれる店舗ＩＤが、誘導元店舗の店舗ＩＤとして取得され、クーポン利用ＷｅｂページのＵＲＬ内に含まれる店舗ＩＤが、誘導先店舗の店舗ＩＤとして取得される。
【００４５】
報酬算出部８８は、検知したアクセス要求のアクセス先が、クーポン利用ＷｅｂページのＵＲＬであると判定された場合に、アクセス要求に含まれる、ユーザID又はＣｏｏｋｉｅ情報と、取得された誘導先店舗の店舗ＩＤと、発行利用ログデータベース８６に格納されたクーポン発行ログと、当該誘導先店舗の店舗ＩＤに対応して店舗情報データベース６８に格納された報酬情報（成約単価）とに基づいて、誘導先店舗へ誘導した誘導元店舗の各々に対して支払う報酬額を算出し、算出した報酬額を、誘導元店舗の各々の店舗ＩＤに対応付けて、支払データベース９１に格納すると共に、デポジットデータベース９０に記憶されている誘導先店舗の店舗ＩＤに対応するデポジット金額を、成約単価だけ減額する。
【００４６】
テーブル更新部９６は、予め定められた更新タイミング（例えば、１週間おき）になると、発行利用ログデータベース８６に記憶されたクーポン発行ログ及びクーポン利用ログと、店舗情報データベース６８に記憶された各店舗の業種とに基づいて、クーポン発行側の店舗(誘導元店舗)の業種とクーポン利用側の店舗(誘導先店舗）の業種との業種間におけるクーポン発行数に対するクーポン利用数の比率に応じた相関係数を、各業種間で算出し、業種間相関係数テーブルに格納されている各値を更新する。また、各業種間で、距離別の行使率を算出して、当該業種間の業種別距離別行使率テーブルに格納されている各値を更新すると共に、各業種間で、発行時間帯別の行使率を算出して、当該業種間の業種別時間帯別行使率テーブルに格納されている各値を更新する。
【００４７】
例えば、クーポン発行側の店舗(誘導元店舗)の業種とクーポン利用側の店舗(誘導先店舗)の業種との組み合わせの各々について、当該組み合わせの業種間の相関係数を以下のように算出する。
【００４８】
発行利用ログデータベース８６に記憶された過去一定期間分のクーポン発行ログのうち、クーポン発行側の店舗の業種に該当する店舗の店舗ＩＤを含むクーポン発行ログであって、クーポン利用側の店舗の業種に該当する店舗の店舗ＩＤ（誘導先店舗の店舗ＩＤ）が対応付けられている店舗ＩＤ（誘導元店舗の店舗ＩＤ）を含むクーポン発行ログＡの数と、発行利用ログデータベース８６に記憶された過去一定期間分のクーポン利用ログのうち、クーポン利用側の店舗の業種に該当する店舗の店舗ＩＤを含むクーポン利用ログであって、上記のクーポン発行ログＡの何れかによって誘導されて利用されたときのクーポン利用ログの数とに基づいて、当該組み合わせの業種間におけるクーポン発行数に対するクーポン利用数の比率に応じた相関係数を算出し、業種間相関係数テーブルに格納されている値を更新する。
【００４９】
また、クーポン発行側の店舗(誘導元店舗)の業種とクーポン利用側の店舗(誘導先店舗）の業種との組み合わせの各々について、当該組み合わせに対する業種別距離別行使率テーブルを以下のように更新する。
【００５０】
発行利用ログデータベース８６に記憶された過去一定期間分のクーポン発行ログのうち、クーポン発行側の店舗の業種に該当する店舗の店舗ＩＤを含むクーポン発行ログであって、クーポン利用側の店舗の業種に該当する店舗の店舗ＩＤ（誘導先店舗の店舗ＩＤ）が対応付けられている店舗ＩＤ（誘導元店舗の店舗ＩＤ）を含むクーポン発行ログＢの各々について、当該クーポン発行ログＢのクーポンに含まれる誘導先店舗であって、クーポン利用側の店舗の業種に該当する店舗の店舗ＩＤ（誘導先店舗の店舗ＩＤ）の住所を取得し、当該クーポン発行ログＢの店舗ＩＤ（誘導元店舗の店舗ＩＤ）の住所との間の距離を算出する。
【００５１】
また、当該クーポン発行ログＢのクーポンに含まれる誘導先店舗であって、クーポン利用側の店舗の業種に該当する店舗で、当該クーポン発行ログＢのクーポンによって誘導されてクーポンが利用されたときのクーポン利用ログがあるか否かを判定し、クーポンが利用されたか否かを判定する。
【００５２】
そして、距離範囲毎に、算出された距離が当該距離範囲に該当するクーポン発行ログＢの数と、そのうちクーポンが利用されたと判定された数とに基づいて行使率を算出し、当該組み合わせに対する業種別距離別行使率テーブルを更新する。
【００５３】
なお、当該クーポン発行ログのクーポンに含まれる誘導先店舗であって、クーポン利用側の店舗の業種に該当する店舗で、当該クーポン発行ログのクーポンによって誘導されてクーポンが利用されたときのクーポン利用ログがあるか否かについては、クーポン利用側の店舗の業種に該当する上記店舗の店舗ＩＤを含むクーポン利用ログのうち、当該クーポン発行ログのユーザＩＤ又はＣｏｏｋｉｅ情報と同一のユーザＩＤ又はＣｏｏｋｉｅ情報を含むクーポン利用ログであって、クーポン発行日時により後の一定期間内にクーポン利用日時が含まれるクーポン利用ログが存在する場合には、当該クーポン発行ログのクーポンに含まれる誘導先店舗であって、クーポン利用側の店舗の業種に該当する店舗で、当該クーポン発行ログのクーポンによって誘導されてクーポンが利用されたときのクーポン利用ログがあると判定する。
【００５４】
また、クーポン発行側の店舗(誘導元店舗)の業種とクーポン利用側の店舗(誘導先店舗）の業種との組み合わせの各々について、当該組み合わせに対する業種別時間帯別行使率テーブルを以下のように更新する。
【００５５】
発行利用ログデータベース８６に記憶された過去一定期間分のクーポン発行ログのうち、クーポン発行側の店舗の業種に該当する店舗の店舗ＩＤを含むクーポン発行ログであって、クーポン利用側の店舗の業種に該当する店舗の店舗ＩＤ（誘導先店舗の店舗ＩＤ）が対応付けられている店舗ＩＤ（誘導元店舗の店舗ＩＤ）を含むクーポン発行ログＣの各々について、当該クーポン発行ログＣのクーポンに含まれるクーポン発行日時から、時間帯を特定する。
【００５６】
また、当該クーポン発行ログＣのクーポンに含まれる誘導先店舗であって、クーポン利用側の店舗の業種に該当する店舗で、当該クーポン発行ログＣのクーポンによって誘導されてクーポンが利用されたときのクーポン利用ログがあるか否かを判定し、クーポンが利用されたか否かを判定する。
【００５７】
そして、時間帯別に、クーポン発行日時が当該時間帯に含まれるクーポン発行ログＣの数と、そのうちクーポンが利用されたと判定された数とに基づいて行使率を算出し、当該組み合わせに対する業種別時間帯別行使率テーブルを更新する。
【００５８】
上記のように、テーブル情報記憶部９８に記憶されている業種間相関係数テーブル、業種別距離別行使率テーブル、及び業種別時間帯別行使率テーブルは、更新タイミング毎に最新の値に更新され、発行ページ生成部７６は、クーポン発行ページのＵＲＬへのアクセス要求があると、ＵＲＬに含まれる店舗ＩＤ（誘導元店舗である店舗の店舗ＩＤ）について、テーブル情報記憶部９８に記憶された、最新の業種間相関係数テーブル、業種別距離別行使率テーブル、及び業種別時間帯別行使率テーブルに基づいて、クーポン発行情報に含まれる、当該店舗で発行するクーポン情報の誘導先店舗の各々について、スコアを算出し、スコアに基づいて、一定個（例えば、５個）の誘導先店舗を抽出し、スコアの降順に、誘導先店舗のクーポン発行ページデータを並べて表示したクーポン発行Ｗｅｂページを生成し、携帯情報端末１２へ送信する。
【００５９】
次に、第１の実施の形態に係るクーポン表示システム１０の作用について説明する。
【００６０】
まず、店舗側のオペレータが、店舗側端末２２を操作して、制御サーバ１６が提供しているサイトの管理ページにアクセスし、当該店舗の店舗ＩＤを入力すると共に、管理ページに表示された、各誘導先店舗から発行オファー情報（店舗基本情報、報酬情報などを含む）を参照して、当該店舗で発行するクーポン発行情報として、当該店舗の次に誘導する誘導先店舗の情報を登録すると、制御サーバ１６において、登録されたクーポン発行情報が、クーポンデータベース７２に格納される。
【００６１】
そして、ユーザが、携帯情報端末１２を操作して、制御サーバ１６からアプリケーションソフトをダウンロードして携帯情報端末１２にインストールすると、携帯情報端末１２の表示部４６に、ユーザ情報設定画面が表示される。ユーザが、携帯情報端末１２を操作して、ユーザＩＤ、パスワード、メールアドレス、生年月日、性別、地域などを入力すると、携帯情報端末１２から、入力されたユーザ情報が、制御サーバ１６へ送信される。
【００６２】
制御サーバ１６では、受信したユーザ情報を、ユーザ情報データベース８０へ登録する。
【００６３】
そして、携帯情報端末１２を所持するユーザが利用している店舗において、他の店舗のクーポンデータを取得するとき、ユーザが、携帯情報端末１２を操作して、アプリケーションソフトを起動すると、携帯情報端末１２において、図５に示すクーポン取得利用処理ルーチンが実行される。
【００６４】
まず、ステップ１１０において、携帯情報端末１２の表示部４６に、ログイン画面を表示し、ユーザID及びパスワードの入力を受け付けたか否かを判定する。ユーザが、携帯情報端末１２を操作して、ユーザID及びパスワードを入力すると、ステップ１１２へ進む。ステップ１１２では、入力されたユーザID及びパスワードを含むログイン情報を、制御サーバ１６へ送信する。
【００６５】
このとき、制御サーバ１６において、携帯情報端末１２から送信されたログイン情報を受け付けると、当該ログイン情報と、ユーザ情報データベース８０のユーザ情報とを照合して、認証処理を行い、認証結果を、携帯情報端末１２へ送信する。
【００６６】
ステップ１１４において、制御サーバ１６から認証結果を受信したか否かを判定し、認証結果を受信すると、ステップ１１６へ進む。ステップ１１６において、上記ステップ１１４で認証が成功したか否かを判定し、認証が失敗した場合には、クーポン取得利用処理ルーチンを終了し、一方、認証が成功した場合には、ステップ１１８へ移行する。
【００６７】
ステップ１１８では、撮像部４４を起動すると共に、コードパターンを撮像するように表示部４６にメッセージを表示させる。そして、ステップ１２０において、コードパターンが撮像されたか否かを判定する。ユーザが携帯情報端末１２を操作して、ユーザが利用している店舗で提示されているクーポン取得用のコードパターン２０Ａを撮像すると（図６の（１）参照）、ステップ１２２へ移行する。
【００６８】
ステップ１２２では、上記ステップ１２０で撮像したコードパターン２０Ａを、ＵＲＬを示す文字列に変換し、変換されたＵＲＬを表示部４６に表示させる。ユーザが携帯情報端末１２を操作して、表示部４６に表示されたＵＲＬへのアクセスを指示すると、ステップ１２４において、上記ステップ１１０で入力されたユーザＩＤを含む、上記ステップ１２２で変換されたＵＲＬへのアクセス要求を制御サーバ１６へ送信する。
【００６９】
このとき、制御サーバ１６では、携帯情報端末１２から送信されたアクセス要求を受信すると、後述するページ生成処理ルーチンを実行して、当該アクセス要求のアクセス先のＵＲＬに含まれる店舗ＩＤに対するクーポン発行Ｗｅｂページを生成して、携帯情報端末１２へ送信する。
【００７０】
そして、ステップ１２６において、クーポン発行Ｗｅｂページのデータ又はクーポン利用Ｗｅｂページのデータを、制御サーバ１６から受信したか否かを判定し、クーポン発行Ｗｅｂページのデータを受信すると、ステップ１２８へ進み、受信したクーポン発行Ｗｅｂページを表示部４６に表示させて（図６の（２）参照）、クーポン取得利用処理ルーチンを終了する。
【００７１】
そして、ユーザは、携帯情報端末１２の表示部４６に表示されたクーポン発行Ｗｅｂページを閲覧すると、クーポンが利用できる店舗へ誘導される（図６の（３）参照）。
【００７２】
そして、上記のクーポン発行Ｗｅｂページに含まれるクーポン情報が利用できる店舗(誘導先店舗)において、ユーザが、当該クーポンを利用するとき、ユーザが、携帯情報端末１２を操作して、アプリケーションソフトを起動し、携帯情報端末１２において、上記のクーポン取得利用処理ルーチンを実行する。
【００７３】
このとき、上記のステップ１２０において、コードパターンが撮像されたか否かを判定する。ユーザが携帯情報端末１２を操作して、クーポンを利用する店舗で提示されているクーポン利用用のコードパターン２０Ｂを撮像すると（図６の（４）参照）、ステップ１２２へ移行する。
【００７４】
上記ステップ１２２では、上記ステップ１２０で撮像したコードパターン２０Ｂを、ＵＲＬを示す文字列に変換し、変換されたＵＲＬを表示部４６に表示させる。ユーザが携帯情報端末１２を操作して、表示部４６に表示されたＵＲＬへのアクセスを指示すると、上記ステップ１１４において、上記ステップ１１０で入力されたユーザＩＤを含む、上記ステップ１１２で変換されたＵＲＬへのアクセス要求を制御サーバ１６へ送信する。
【００７５】
制御サーバ１６では、携帯情報端末１２から送信されたアクセス要求を受信すると、後述するページ生成処理ルーチンを実行して、当該アクセス要求のアクセス先のＵＲＬに含まれる店舗ＩＤに対するクーポン利用Ｗｅｂページを生成し、携帯情報端末１２へ送信する。
【００７６】
上記ステップ１２６において、クーポン利用Ｗｅｂページのデータを、制御サーバ１６から受信したと判定すると、ステップ１２８へ進み、受信したクーポン利用Ｗｅｂページを表示部４６に表示させる。
【００７７】
そして、ユーザは、携帯情報端末１２の表示部４６に表示されたクーポン利用Ｗｅｂページを、店員に提示して、クーポンを行使する。また、当該店舗において、さらに、他の店舗のクーポンデータを取得する場合には、上記の処理が繰り返される（図６の（５）、（６）、（７）参照）。
【００７８】
上記のクーポン取得利用処理ルーチンでは、ログイン情報を携帯情報端末１２に入力して、クーポン発行Ｗｅｂページ又はクーポン利用Ｗｅｂページを表示させる場合を例に説明したが、これに限定されるものではなく、ログイン情報の入力をせずに、クーポン発行Ｗｅｂページ又はクーポン利用Ｗｅｂページを携帯情報端末１２に表示させるようにすることができる。
【００７９】
例えば、携帯情報端末１２において、ユーザの操作により、コードパターンの読み取り処理が指示されると、図７に示すコードパターン読取処理ルーチンが実行される。
【００８０】
ステップ１２９において、撮像部４４を起動すると共に、コードパターンを撮像するように表示部４６にメッセージを表示させる。そして、ステップ１３０において、コードパターンが撮像されたか否かを判定する。ユーザが携帯情報端末１２を操作して、店舗で提示されているクーポン取得用のコードパターン２０Ａ又はクーポン利用用のコードパターン２０Ｂを撮像すると、ステップ１３２へ移行する。
【００８１】
ステップ１３２では、上記ステップ１３０で撮像したコードパターン２０Ａ又は２０Ｂを、ＵＲＬを示す文字列に変換し、変換されたＵＲＬを表示部４６に表示させる。ユーザが携帯情報端末１２を操作して、表示部４６に表示されたＵＲＬへのアクセスを指示すると、ステップ１３４において、携帯情報端末１２のＣｏｏｋｉｅ情報を含む、上記ステップ１３２で変換されたＵＲＬへのアクセス要求を制御サーバ１６へ送信する。
【００８２】
このとき、制御サーバ１６では、携帯情報端末１２から送信されたアクセス要求を受信すると、当該アクセス要求のアクセス先のＵＲＬに含まれる店舗ＩＤに対するクーポン発行Ｗｅｂページのデータ又はクーポン利用Ｗｅｂページのデータを生成し、携帯情報端末１２へ送信する。
【００８３】
そして、ステップ１３６において、クーポン発行Ｗｅｂページのデータ又はクーポン利用Ｗｅｂページのデータを、制御サーバ１６から受信したか否かを判定し、クーポン発行Ｗｅｂページのデータ又はクーポン利用Ｗｅｂページのデータを受信すると、ステップ１３８へ進み、受信したクーポン発行Ｗｅｂページ又はクーポン利用Ｗｅｂページのデータを表示部４６に表示させて、コードパターン読取処理ルーチンを終了する。
【００８４】
次に、制御サーバ１６で実行されるページ生成処理ルーチンについて、図８を用いて説明する。
【００８５】
まず、ステップ１４０において、携帯情報端末１２から送信されたアクセス要求に含まれる店舗ＩＤを取得する。そして、ステップ１４２において、アクセス要求のアクセス先のＵＲＬと、ＵＲＬリスト記憶部７７のクーポン発行ＵＲＬリスト又はクーポン利用ＵＲＬリストとを照合して、クーポン発行Ｗｅｂページへのアクセスであるか否かを判定する。クーポン発行Ｗｅｂページへのアクセスでない場合（クーポン利用Ｗｅｂページへのアクセスである場合）には、ステップ１４４において、上記ステップ１４０で取得した店舗ＩＤに対するクーポン利用Ｗｅｂページを生成し、アクセス要求を送信した携帯情報端末１２へ送信する。
【００８６】
一方、クーポン発行Ｗｅｂページへのアクセスである場合には、ステップ１４６において、テーブル情報記憶部９８から、業種間相関係数テーブル、業種別距離別行使率テーブル、及び業種別時間帯別行使率テーブルを読み込む。
【００８７】
ステップ１４７では、上記ステップ１４０で取得した店舗ＩＤ（誘導元店舗の店舗ＩＤ）に対応してクーポンデータベース７２に登録された誘導先店舗の店舗ＩＤを取得し、誘導先店舗の各々の店舗情報を、店舗情報データベース６８から取得する。また、上記ステップ１４０で取得した店舗ＩＤの店舗情報を、店舗情報データベース６８から取得する。
【００８８】
次のステップ１４８では、上記ステップ１４７で取得した誘導先店舗の店舗ＩＤの各々について、上記ステップ１４０で取得した店舗ＩＤの店舗の店舗情報（業種及び住所）と、当該誘導先店舗の店舗情報（業種及び住所）と、上記ステップ１４６で読み込んだ業種間相関係数テーブルと、業種別距離別行使率テーブル、及び業種別時間帯別行使率テーブルとに基づいて、現時刻に該当するクーポン発行時間帯の、当該誘導先店舗に対するスコアを算出する。
【００８９】
ステップ１４９では、上記ステップ１４８で算出されたスコアの上位５個の誘導先店舗を抽出し、抽出した誘導先店舗のクーポン発行ページデータを、スコアの降順に並べて表示したクーポン発行Ｗｅｂページを生成し、アクセス要求を送信した携帯情報端末１２へ送信し、ページ生成処理ルーチンを終了する。
【００９０】
また、制御サーバ１６において、図９に示すクーポン発行利用ログ登録処理ルーチンが実行される。
【００９１】
ステップ１５０において、携帯情報端末１２からのクーポン発行Ｗｅｂページ又はクーポン利用ＷｅｂページのＵＲＬへのアクセス要求を検知したか否かを判定し、携帯情報端末１２からのクーポン発行Ｗｅｂページ又はクーポン利用ＷｅｂページのＵＲＬへのアクセス要求を検知すると、ステップ１５２へ進む。
【００９２】
ステップ１５２では、上記ステップ１５０で検知したアクセス要求に含まれるユーザＩＤ又はＣｏｏｋｉｅ情報を取得する。ステップ１５４では、上記ステップ１５０で検知したアクセス要求のアクセス先のＵＲＬから、店舗ＩＤを取得する。
【００９３】
そして、ステップ１５６において、アクセス要求のアクセス先のＵＲＬと、ＵＲＬリスト記憶部７７のクーポン発行ＵＲＬリスト又はクーポン利用ＵＲＬリストとを照合して、クーポン発行Ｗｅｂページへのアクセスであるか否かを判定する。クーポン発行Ｗｅｂページへのアクセスである場合には、ステップ１５８において、上記ステップ１５２で取得したユーザＩＤ又はＣｏｏｋｉｅ情報と、上記ステップ１５４で取得した店舗ＩＤ（誘導元店舗の店舗ＩＤ）と、クーポン発行日時(現在の日時)とを含むクーポン発行ログを、発行利用ログデータベース８６に記憶し、クーポン発行利用ログ登録処理ルーチンを終了する。
【００９４】
一方、クーポン利用Ｗｅｂページへのアクセスである場合には、ステップ１６０において、上記ステップ１５２で取得したユーザＩＤ又はＣｏｏｋｉｅ情報と、上記ステップ１５４で取得した店舗ＩＤ（誘導先店舗の店舗ＩＤ）と、クーポン利用日時(現在の日時)とを含むクーポン利用ログを、発行利用ログデータベース８６に記憶する。
【００９５】
そして、ステップ１６２において、上記ステップ１５２で取得したユーザＩＤ又はＣｏｏｋｉｅ情報と同一のユーザＩＤ又はＣｏｏｋｉｅ情報を含むクーポン発行ログであって、クーポン利用日時により一定期間（例えば、２４時間）前までの間にクーポン発行日時が含まれるクーポン発行ログを、発行利用ログデータベース８６に記憶されたクーポン発行ログから検索する。
【００９６】
次のステップ１６４では、クーポンデータベース７２に記憶されている誘導先店舗の店舗ＩＤと、誘導元店舗の店舗IDとの対応付けに基づいて、上記ステップ１６２で検索されたクーポン発行ログのうち、上記ステップ１５４で取得した店舗ＩＤ（誘導先店舗の店舗ＩＤ）に対応付けされた誘導元店舗の店舗ＩＤを有するクーポン発行ログを検索する。
【００９７】
そして、ステップ１６６において、上記ステップ１６４で検索されたクーポン発行ログの店舗ＩＤ（誘導元店舗の店舗ＩＤ）の各々に対して、当該クーポン発行ログの発行日時に基づいて、分配率を算出する。また、上記ステップ１５４で取得した店舗ＩＤ（誘導先店舗の店舗ＩＤ）に対して設定された成約単価を、店舗情報データベース６８から取得し、算出した分配率を用いて、上記ステップ１６４で検索されたクーポン発行ログの店舗ＩＤの各々に対して、支払う報酬額を算出する。
【００９８】
そして、ステップ１６８において、上記ステップ１６４で検索されたクーポン発行ログの店舗ＩＤ（誘導元店舗の店舗ＩＤ）の各々に対応付けて、上記ステップ１６８で算出された報酬額を、支払データベース９１に登録すると共に、デポジットデータベース９０を更新して、クーポン発行利用ログ登録処理ルーチンを終了する。
【００９９】
これによって、クーポンが利用される毎に、当該クーポンの発行元の店舗に対して、報酬額が算出され、例えば、月末締めで、発行元の店舗毎に、報酬額の合計額が算出され、算出された合計額が支払われる。
【０１００】
また、制御サーバ１６において、予め定められた更新タイミングになると、図１０に示すテーブル更新処理ルーチンが実行される。
【０１０１】
ステップ１８０において、発行利用ログデータベース８６から、過去一定期間分（例えば、１か月分）のクーポン発行ログ及びクーポン利用ログを読み込む。そして、ステップ１８２において、上記ステップ１８０で読み込んだクーポン発行ログ及びクーポン利用ログに基づいて、誘導元店舗の業種と誘導先店舗の業種との組み合わせの各々について、相関係数を算出し、テーブル情報記憶部９８に記憶されている業種間相関係数テーブルの値を更新する。
【０１０２】
また、ステップ１８４において、上記ステップ１８０で読み込んだクーポン発行ログ及びクーポン利用ログに基づいて、誘導元店舗の業種と誘導先店舗の業種との組み合わせの各々について、当該組み合わせにおける距離別の行使率を算出し、テーブル情報記憶部９８に記憶されている、該当する業種別距離別行使率テーブルの値を更新する。
【０１０３】
次のステップ１８６では、上記ステップ１８０で読み込んだクーポン発行ログ及びクーポン利用ログに基づいて、誘導元店舗の業種と誘導先店舗の業種との組み合わせの各々について、当該組み合わせにおける時間帯別の行使率を算出し、テーブル情報記憶部９８に記憶されている、該当する業種別時間帯別行使率テーブルの値を更新し、テーブル更新処理ルーチンを終了する。
【０１０４】
上記のテーブル更新処理ルーチンが、更新タイミングになる度に繰り返し実行され、最新のクーポン発行ログ及びクーポン利用ログに基づいて、各種テーブルの値が更新される。
【０１０５】
以上説明したように、第１の実施の形態に係るクーポン表示システムによれば、クーポン発行ログ及びクーポン利用ログに基づいて算出される、発行側の業種と利用側の業種との業種間におけるクーポン発行数に対するクーポン利用数の比率に応じた相関係数に基づいて、誘導先店舗の各々に対するスコアを算出し、スコアに基づく上位５個の誘導先店舗のクーポンを表示したクーポン発行Ｗｅｂページを生成することにより、効果的に誘導できる店舗のクーポンを発行したクーポン発行Ｗｅｂページを携帯情報端末に表示させることができる。また、業種間における距離別の行使率、クーポン発行時間帯別の行使率をさらに考慮してスコアを算出することにより、更に効果的に誘導できる店舗のクーポンを発行したクーポン発行Ｗｅｂページを生成することができる。
【０１０６】
また、クーポン発行ログ及びクーポン利用ログを収集し、収集したクーポン発行ログ及びクーポン利用ログを用いることにより、業種間の相関係数を自動的に算出することができる。
【０１０７】
また、最新のクーポン発行ログ及びクーポン利用ログに基づいて、業種間の相関係数、距離別行使率、及び時間帯別行使率を定期的に更新することにより、最新のクーポン利用傾向を反映したスコアを算出することができる。
【０１０８】
なお、上記の実施の形態では、クーポン発行ＷｅｂページのＵＲＬへのアクセス要求を検知したときに、クーポン発行Ｗｅｂページを生成する場合を例に説明したが、これに限定されるものではなく、オフラインで、クーポン発行Ｗｅｂページを生成するようにしてもよい。例えば、発行ページ生成部７６は、店舗側端末２２からクーポン発行情報（当該店舗で発行するクーポンが利用される他の誘導先店舗の情報）が登録されたときに、クーポン発行情報に基づいて、当該他の誘導先店舗に対応するクーポン発行ページデータをクーポンデータベース７２から取得し、取得したクーポン発行ページデータを誘導先店舗毎に表したクーポン発行Ｗｅｂページを生成し、生成したクーポン発行Ｗｅｂページを、当該店舗に対して予め定められたＵＲＬに該当する位置に格納するようにしてもよい。
【０１０９】
次に、第２の実施の形態に係るクーポン表示システムについて説明する。なお、第２の実施の形態に係るクーポン表示システムの構成は、第１の実施の形態と同様の構成であるため、同一符号を付して説明を省略する。
【０１１０】
第２の実施の形態では、ユーザ毎に、業種間相関係数テーブル、業種別距離別行使率テーブル、及び業種別距離別行使率テーブルが計算されている点と、ユーザ毎に、クーポン発行Ｗｅｂページが生成されている点とが、第１の実施の形態と異なっている。
【０１１１】
第２の実施の形態に係るクーポン表示システムの制御サーバ１６では、テーブル情報記憶部９８に、ユーザＩＤ毎に、業種間相関係数テーブル、業種別距離別行使率テーブル、及び業種別距離別行使率テーブルが記憶されている。また、テーブル情報記憶部９８には、特定のユーザＩＤに対応しない、業種間相関係数テーブル、業種別距離別行使率テーブル、及び業種別距離別行使率テーブルが記憶されている。
【０１１２】
また、発行ページ生成部７６は、クーポン発行ページのＵＲＬへのアクセス要求があると、アクセス要求に含まれるユーザＩＤを取得し、誘導元店舗である店舗について、テーブル情報記憶部９８に記憶された、当該ユーザＩＤに対する最新の業種間相関係数テーブル、業種別距離別行使率テーブル、及び業種別距離別行使率テーブルに基づいて、クーポン発行情報に含まれる、当該店舗で発行するクーポン情報の誘導先店舗の各々について、スコアを算出し、スコアに基づいて、一定個（例えば、５個）の誘導先店舗を抽出し、スコアの降順に、誘導先店舗のクーポン発行ページデータを並べて表示したクーポン発行Ｗｅｂページを生成し、アクセス要求を送信した携帯情報端末１２へ送信する。
【０１１３】
テーブル更新部９６は、予め定められた更新タイミング（例えば、１週間おき）になると、ユーザＩＤ毎に、発行利用ログデータベース８６に記憶された、当該ユーザＩＤを含むクーポン発行ログ及びクーポン利用ログと、店舗情報データベース６８に記憶された各店舗の業種とに基づいて、クーポン発行側の店舗(誘導元店舗)の業種とクーポン利用側の店舗(誘導先店舗）の業種との業種間におけるクーポン発行数に対するクーポン利用数の比率に応じた相関係数を、各業種間で算出し、当該ユーザＩＤに対する業種間相関係数テーブルに格納されている各値を更新する。また、各業種間で、距離別の行使率を算出して、当該ユーザＩＤに対する当該業種間の業種別距離別行使率テーブルに格納されている各値を更新すると共に、各業種間で、発行時間帯別の行使率を算出して、当該ユーザＩＤに対する当該業種間の業種別時間帯別行使率テーブルに格納されている各値を更新する。
【０１１４】
第２の実施の形態におけるテーブル更新処理ルーチンについて図１１を用いて説明する。なお、第１の実施の形態と同様の処理については、同一符号を付して詳細な説明を省略する。
【０１１５】
まず、ステップ２００において、処理対象のユーザＩＤを選択する。そして、ステップ２０２において、発行利用ログデータベース８６から、処理対象のユーザＩＤを含む、過去一定期間分のクーポン発行ログ及びクーポン利用ログを読み込む。そして、ステップ１８２において、上記ステップ２０２で読み込んだクーポン発行ログ及びクーポン利用ログに基づいて、誘導元店舗の業種と誘導先店舗の業種との組み合わせの各々について、相関係数を算出し、テーブル情報記憶部９８に記憶されている、処理対象のユーザＩＤに対する業種間相関係数テーブルの値を更新する。
【０１１６】
また、ステップ１８４において、上記ステップ２０２で読み込んだクーポン発行ログ及びクーポン利用ログに基づいて、誘導元店舗の業種と誘導先店舗の業種との組み合わせの各々について、当該組み合わせにおける距離別の行使率を算出し、テーブル情報記憶部９８に記憶されている、処理対象のユーザＩＤに対する、該当する業種別距離別行使率テーブルの値を更新する。
【０１１７】
次のステップ１８６では、上記ステップ２０２で読み込んだクーポン発行ログ及びクーポン利用ログに基づいて、誘導元店舗の業種と誘導先店舗の業種との組み合わせの各々について、当該組み合わせにおける時間帯別の行使率を算出し、テーブル情報記憶部９８に記憶されている、処理対象のユーザＩＤに対する、該当する業種別時間帯別行使率テーブルの値を更新する。
【０１１８】
そして、ステップ２０４において、全てのユーザＩＤについて、上記ステップ２００〜１８６の処理を実行したか否かを判定し、上記ステップ２００〜１８６の処理を実行していないユーザＩＤが存在する場合には、上記ステップ２００へ戻り、当該ユーザＩＤを処理対象として設定する。一方、全てのユーザＩＤについて、上記ステップ２００〜１８６の処理を実行した場合には、テーブル更新処理ルーチンを終了する。
【０１１９】
また、上記の第１の実施の形態と同様のテーブル更新処理ルーチンも実行され、特定のユーザＩＤに対応しない、業種間相関係数テーブル、業種別距離別行使率テーブル、及び業種別時間帯別行使率テーブルの値が更新される。
【０１２０】
また、第２の実施の形態におけるページ生成処理ルーチンについて図１２を用いて説明する。
【０１２１】
まず、ステップ１４０において、携帯情報端末１２から送信されたアクセス要求に含まれる店舗ＩＤを取得する。そして、ステップ１４２において、アクセス要求のアクセス先のＵＲＬと、ＵＲＬリスト記憶部７７のクーポン発行ＵＲＬリスト又はクーポン利用ＵＲＬリストとを照合して、クーポン発行Ｗｅｂページへのアクセスであるか否かを判定する。クーポン発行Ｗｅｂページへのアクセスでない場合には、ステップ１４４において、上記ステップ１４０で取得した店舗ＩＤに対するクーポン利用Ｗｅｂページを生成し、アクセス要求を送信した携帯情報端末１２へ送信する。
【０１２２】
一方、クーポン発行Ｗｅｂページへのアクセスである場合には、ステップ２２０において、アクセス要求と共にユーザＩＤを受信されたか否かを判定する。携帯情報端末１２から、アクセス要求と共にユーザＩＤを受信した場合には、ステップ２２２において、テーブル情報記憶部９８から、受信したユーザＩＤに対する業種間相関係数テーブル、業種別距離別行使率テーブル、及び業種別時間帯別行使率テーブルを読み込む。一方、携帯情報端末１２から、アクセス要求と共にユーザＩＤを受信していない場合（すなわち、Ｃｏｏｋｉｅ情報を受信した場合）には、ステップ２２４において、テーブル情報記憶部９８から、特定のユーザＩＤに対応しない業種間相関係数テーブル、業種別距離別行使率テーブル、及び業種別時間帯別行使率テーブルを読み込む。
【０１２３】
ステップ１４７では、上記ステップ１４０で取得した店舗ＩＤ（誘導元店舗の店舗ＩＤ）に対応してクーポンデータベース７２に登録された誘導先店舗の店舗ＩＤを取得し、誘導先店舗の各々の店舗情報を、店舗情報データベース６８から取得する。また、上記ステップ１４０で取得した店舗ＩＤの店舗情報を、店舗情報データベース６８から取得する。
【０１２４】
次のステップ１４８では、上記ステップ１４７で取得した誘導先店舗の店舗ＩＤの各々について、上記ステップ１４０で取得した店舗ＩＤの店舗の店舗情報（業種及び住所）と、当該誘導先店舗の店舗情報（業種及び住所）と、上記ステップ２２２又は２２４で読み込んだ業種間相関係数テーブルと、業種別距離別行使率テーブル、及び業種別時間帯別行使率テーブルとに基づいて、現時刻に該当するクーポン発行時間帯の、当該誘導先店舗に対するスコアを算出する。
【０１２５】
ステップ１４９では、上記ステップ１４８で算出されたスコアの上位５個の誘導先店舗を抽出し、抽出した誘導先店舗のクーポン発行ページデータを、スコアの降順に並べて表示したクーポン発行Ｗｅｂページを生成し、アクセス要求を送信した携帯情報端末１２へ送信し、ページ生成処理ルーチンを終了する。
【０１２６】
なお、第２の実施の形態に係るクーポン表示システムの他の構成及び作用については、第１の実施の形態と同様であるため、説明を省略する。
【０１２７】
このように、ユーザＩＤ毎に、業種間相関係数テーブル、業種別距離別行使率テーブル、及び業種別時間帯別行使率テーブルを用意し、ユーザＩＤ毎に、クーポン発行Ｗｅｂページを生成することにより、ユーザのクーポン利用傾向を考慮して、効果的に誘導できる店舗のクーポンを発行したクーポン発行Ｗｅｂページを生成することができる。
【０１２８】
なお、上記の実施の形態では、スコアが上位５個の店舗のクーポンを表示したクーポン発行Ｗｅｂページを生成する場合を例に説明したが、これに限定されるものではなく、すべての誘導先店舗について、スコアの高い順に誘導先店舗のクーポンを表示したクーポン発行Ｗｅｂページを生成するようにしてもよい。
【０１２９】
また、上記の実施の形態では、コードパターンとして、ＱＲコード（登録商標）を用いる場合を例に説明したが、これに限定されるものではなく、他のコードパターンを用いてもよい。たとえば、二次元バーコードや、文字コード等を用いてもよい。
【符号の説明】
【０１３０】
１０   クーポン表示システム
１２   携帯情報端末
１６   制御サーバ
２０Ａ、２０Ｂコードパターン
２０   店舗
２２   店舗側端末
２４   ネットワーク
４０   通信部
４２   制御部
４４   撮像部
４６   表示部
５０   コード変換部
５６   通信部
６０   制御部
６８   店舗情報データベース
７２   クーポンデータベース
７５   利用ページ生成部
７６   発行ページ生成部
７７   ＵＲＬリスト記憶部
８４   発行利用ログ登録部
８６   発行利用ログデータベース
９６   テーブル更新部
９８   テーブル情報記憶部
【図１】
2014139758.tif 000003
【図２】
2014139758.tif 000004
【図３】
2014139758.tif 000005
【図７】
2014139758.tif 000006
【図８】
2014139758.tif 000007
【図９】
2014139758.tif 000008
【図１０】
2014139758.tif 000009
【図１１】
2014139758.tif 000010
【図１２】
2014139758.tif 000011
【図４】
2014139758.tif 000012
【図５】
2014139758.tif 000013
【図６】
2014139758.tif 000014